(57)【要約】【課題】自動トリップ装置、それを用いたネットワークシステム及びその制御方法を提供する。【解決手段】電力線の温度と電流を測定する温度センサー１０と電流センサー２０で温度及び電流の測定データの入力を受け取ってデータ格納部３０に格納し、格納した温度及び電流の測定データを分析して危険要素が検知されると、遮断器トリップ部４０を制御して電力線を遮断すると共に、測定したデータの分析結果正常作動範囲を離脱して危険要素発生が予想／判断されると警報信号発生部７０を制御して警報信号が発生するようにして大容量の電流が流れる電力線の過負荷（接触不良、短絡など）による電力線の破損及び火災を予防できる。【選択図】図１
2007318979.tif 000002
【特許請求の範囲】
【請求項１】
電力線の温度を測定する温度センサーと；
前記電力線の電流を測定する電流センサーと；
前記温度センサーと電流センサーから入力される温度及び電流の測定データを格納するデータ格納部と；
制御信号により前記電力線を遮断する遮断器トリップ部と；
外部で電力線遮断を要請できる外部トリップ信号入力部と；
遮断器の寿命を表示する遮断器寿命表示部と；
警報信号を発生する警報信号発生部と；
前記温度センサーと電流センサーから入力される温度及び電流の測定データの入力を受け取って前記データ格納部に格納するように制御し、前記測定した電流と設定電流を比較して設定電流より前記測定電流が大きければ、前記電力線を遮断するように前記遮断器トリップ部を制御し、前記測定したデータを分析して当該機器及び当該電力線区間の寿命を前記遮断器寿命表示部に表示するように制御し、前記格納した温度から温度抵抗係数を算出して事前に格納した警報温度抵抗係数と比較して前記算出した温度抵抗係数が警報温度抵抗係数より大きければ、警報信号が発生するように前記警報信号発生部を制御する制御部と；
前記測定したデータ及び分析データを外部とデータ通信するデータ通信部と；から構成されることを特徴とする自動トリップ装置。
【請求項２】
自動トリップ方法において、
導線の温度を測定して電力線の温度係数を算出し、算出した温度係数を収集してデータ化し、このようにデータ化した温度係数をトリップ装置の最大許容電流の設定電流値として決定するようにしたことを特徴とする自動トリップ装置の制御方法。
【請求項３】
警報温度抵抗係数を設定し、前記警報温度抵抗係数で電力線から測定した電流を設定電流として設定する初期化過程を行う段階と；
前記電力線の温度を測定して温度抵抗係数を算出し、算出した温度抵抗係数をメモリ部に格納する段階と；
前記算出した温度抵抗係数が警報温度抵抗係数より大きいかを判断し、大きい場合警報信号発生部を動作させて警報信号を発生する段階と；
前記算出した温度抵抗係数が警報温度抵抗係数より小さい場合、前記警報温度抵抗係数で電力線に流れる設定電流を算出してメモリ部に格納し、電力線に設けられた電流センサーで現在電流を測定してメモリ部に格納する段階と；
前記設定電流を初期電流で割ってその値が初期劣化値より大きいかを判断し、大きい場合遮断器の切り替え信号を出力し、大きくない場合前記設定電流が測定電流より小さいかを判断し、小さい場合トリップ信号を出力する段階と；
設定電流が測定電流より小さくない場合、外部トリップ信号が入力されたかを判断し、外部トリップ信号が入力された場合当該プログラムを終了し、外部トリップ信号が入力されない場合データ通信部を制御してデータを受信し、前記温度係数、設定電流、現在測定電流、遮断器の切り替え信号及びトリップ信号に対するデータをシステムコンピュータに送信し、段階に戻ってその以下の過程を繰り返す段階；を含むことを特徴とする自動トリップ装置の制御方法。
【請求項４】
最上層に位置してそれぞれの下位層自動トリップ装置から収集するデータを使用者が把握できるように処理及び分析して表示し、使用者の命令を下位層に伝達するシステムコンピュータと；
下位層自動トリップ装置で収集したデータを比較分析してシステムコンピュータまたは上位中間層自動トリップ装置に伝達する中間層自動トリップ装置と；
各種機器または電力線に直接連結されて電流、周波数及び温度などのデータを収集し、警告非常状態を検知して電源を遮断し、前記収集したデータを上位中間層自動トリップ装置に伝達する最下位層自動トリップ装置と；から構成されることを特徴とする自動トリップ装置を用いたネットワークシステム。
【請求項５】
前記システムコンピュータは、
ネットワークに連結された各自動トリップ装置の状態をモニターリングするように表示するモニターと；
各部を制御し、有無線通信装置でネットワークに連結された各自動トリップ装置からデータの入力を受け取ってデータ格納装置に格納し、処理した処理結果をモニターに表示するメーンプロセッサーと；
前記ネットワークを通じて入力される各自動トリップ装置の状態に関連したデータを格納するデータ格納装置と；
前記メーンプロセッサーと各装置との間にデータ及び信号を伝送するための通路を提供するシステムバスと；
各コンセント、末端機器及びサブ遮断器に設けられた自動トリップ装置と前記メーンプロセッサーとの間にデータ通信を提供する有無線通信装置と；
各コンセント、末端機器及びサブ遮断器に設けられた自動トリップ装置から入力を受け取ったデータを表示する遠隔監視通信装置と；から構成されることを特徴とする請求項４に記載の自動トリップを用いたネットワークシステム。
【発明の詳細な説明】
【技術分野】
【０００１】
本発明は自動トリップ装置、それを用いたネットワークシステム及びその制御方法に関するもので、特に比較的高い事故電流を迅速に遮断して人名と設備を安全に保護し、停電範囲の拡散を防止して財産上の損失を最小化できるように潜在的電気事故を予測する自動トリップ装置、それを用いたネットワークシステム及びその制御方法に関するものである。
【背景技術】
【０００２】
現在、大きい工場や産業団地で使用する過負荷保護機能を有する多数の機器は、電流を検出して特定電流を遮断したり、温度ヒューズを用いて特定温度以上になると電力を遮断する機能を持つ製品が市場に流通しているが、その機能が不備で使用者の財産的損失と被害を発生させることがある。
【０００３】
電力線の電流はモーターのような回転軸がある機器などを使用すると瞬間ピーク電流が発生するため、最大電流の２倍程度に設定し、大電流から小電流に分岐される小電流継電器入力端部分の死角地帯が発生する。
【０００４】
温度ヒューズを使用する場合、誤作動が多く発生し、多く使用されていない。正常な動作における最大電流を使用する場合、電線の温度が高くなり、室内温度の影響によって表面温度が上昇し、誤作動が発生して精密な制御が難しい。また、温度ヒューズの短絡を可視的に確認することが難しくて、監視のない場合は、そのメンテナンスにおいて難しさがある。
【０００５】
遮断器、電線、ケーブル、コンセント、その他の電力機器などは使用環境、使用条件、または使用回路から発生する色々な要因によって劣化が進展して事故の重大な原因になったり、または直接事故につながることもする。さらに、同一の機器であってもその使用条件によっては多少の差がある。
【０００６】
一般的な劣化故障は以下のような要因により発生する。
１．電気的要因としてサージ電圧と過電流の開閉によるアーク損傷などにより劣化発生。
２．熱的要因として過負荷、短絡、高調波進入、ヒートサイクル（膨脹収縮、変形、ツイスト、弾性低下）などにより劣化故障発生。
３．機械的要因として動作の繰り返し、外部応力、振動、衝撃、過電流、短絡などで疲労、亀裂、破損、摩耗、変形、接触不良などにより劣化発生。
４．環境的要因としてホコリ、汚損、塩分付着、湿気、高温、腐食性、紫外線（表面絶縁の不良）、グリース硬化（活動不良）、金属腐蝕（接触不良、破損）、絶縁物の変質などにより劣化発生。
５．化学的要因として絶縁低下、部分放電（コロナ現象による化学的生成物の発生で腐蝕促進）などにより劣化発生。
【０００７】
前述した原因による劣化が進行中である場合、遮断器、電線、ケーブル、コンセント、その他の電力機器などは温度係数の増加で温度によって抵抗が増加して過負荷が発生した電流の量は減少するようになり、遮断器は作動しないで火災が発生するようになる。
【０００８】
前述した原因により劣化が発生した場合、遮断器、電線、ケーブル、コンセント、その他の電力機器などは摩擦抵抗の増加で温度が上昇して前述のような現象が繰り返される。
【０００９】
ここで、温度係数とは温度の増減による電気応用機器における自体抵抗の増減の割合である。温度係数が上がると抵抗が増加し、抵抗が増加するとそれに設けられた遮断器に流れる電流が減少するため、正格電力の負荷を使用しても漏洩電流が増加し、火災及びその他の不意の事故が発生して人命や財産上の被害が発生した。
【発明の開示】
【発明が解決しようとする課題】
【００１０】
前述した従来の問題点を解決するためになされた本発明は、温度センサーを用いて電力線の温度をチェックして温度抵抗係数を算出し、温度抵抗係数に基づく最大許容電流を変化させ、設定電流以上の電流を検知する場合、独立または集団で自動トリップする自動トリップ装置、それを用いたネットワークシステム及びその制御方法を提供することにその目的がある。
【００１１】
本発明の他の目的は、温度係数を算出したデータを基準に最大許容電流である設定電流値を自動に可変させる自動トリップ装置、それを用いたネットワークシステム及びその制御方法を提供することにある。
【００１２】
本発明のもう一つの目的は、電力線の温度、使用電流を測定して非正常状態を判断し、警報発生及び電気を遮断するので、電力線の過熱を防止できる自動トリップ装置、それを用いたネットワークシステム及びその制御方法を提供することにある。
【００１３】
本発明のもう一つの目的は、システムのネットワーク機能及びモニターリング機能を用いてそれぞれの設備区域の電力使用現況を一目で把握でき、大型火災や人名事故を事前に予防できる自動トリップ装置、それを用いたネットワークシステム及びその制御方法を提供することにある。
【課題を解決するための手段】
【００１４】
本発明に係る自動トリップ装置は、電力線の温度を測定する温度センサーと；前記電力線の電流を測定する電流センサーと；前記温度センサーと電流センサーから入力される温度及び電流の測定データを格納するデータ格納部と；制御信号により前記電力線を遮断する遮断器トリップ部と；外部で電力線遮断を要請できる外部トリップ信号入力部と；遮断器の寿命を表示する遮断器寿命表示部と；警報信号を発生する警報信号発生部と；前記温度センサーと電流センサーから入力される温度及び電流の測定データの入力を受け取って前記データ格納部に格納するように制御し、前記測定した電流と設定電流を比較して設定電流より前記測定電流が大きければ、前記電力線を遮断するように前記遮断器トリップ部を制御し、前記測定したデータを分析して当該機器及び当該電力線区間の寿命を前記遮断器寿命表示部に表示するように制御し、前記格納した温度から温度抵抗係数を算出して事前に格納した警報温度抵抗係数と比較して前記算出した温度抵抗係数が警報温度抵抗係数より大きければ、警報信号が発生するように前記警報信号発生部を制御する制御部と；前記測定したデータ及び分析データを外部とデータ通信するデータ通信部と；から構成されることを特徴とする。
【００１５】
本発明に係る自動トリップ方法は、導線の温度を測定して電力線の温度係数を算出し、算出した温度係数を収集してデータ化し、このようにデータ化した温度係数をトリップ装置の最大許容電流の設定電流値として決定するようにしたことを特徴とする。
【００１６】
本発明に係る自動トリップ装置の制御方法は、警報温度抵抗係数を設定し、前記警報温度抵抗係数で電力線から測定した電流を設定電流として設定する初期化過程を行う段階と；前記電力線の温度を測定して温度抵抗係数を算出し、算出した温度抵抗係数をメモリ部に格納する段階と；前記算出した温度抵抗係数が警報温度抵抗係数より大きいかを判断し、大きい場合警報信号発生部を動作させて警報信号を発生する段階と；前記算出した温度抵抗係数が警報温度抵抗係数より小さい場合、前記警報温度抵抗係数で電力線に流れる設定電流を算出してメモリ部に格納し、電力線に設けられた電流センサーで現在電流を測定してメモリ部に格納する段階と；前記設定電流を初期電流で割ってその値が初期劣化値より大きいかを判断し、大きい場合遮断器の切り替え信号を出力し、大きくない場合前記設定電流が測定電流より小さいかを判断し、小さい場合トリップ信号を出力する段階と；設定電流が測定電流より小さくない場合、外部トリップ信号が入力されたかを判断し、外部トリップ信号が入力された場合当該プログラムを終了し、外部トリップ信号が入力されない場合通信部を制御してデータを受信し、前記温度係数、設定電流、現在測定電流、遮断器の切り替え信号及びトリップ信号に対するデータをシステムコンピュータに送信し、段階に戻ってその以下の過程を繰り返す段階；を含むことを特徴とする。
【００１７】
本発明に係る自動トリップ装置を用いたネットワークシステムは、最上層に位置してそれぞれの下位層自動トリップ装置から収集するデータを使用者が把握できるように処理及び分析して表示し、使用者の命令を下位層に伝達するシステムコンピュータと；下位層自動トリップ装置で収集したデータを比較分析してシステムコンピュータまたは上位中間層自動トリップ装置に伝達する中間層自動トリップ装置と；各種機器または電力線に直接連結されて電流、周波数及び温度などのデータを収集し、警告非常状態を検知して電源を遮断し、前記収集したデータを上位中間層自動トリップ装置に伝達する最下位層自動トリップ装置と；から構成されることを特徴とする。
【００１８】
本発明の自動トリップ装置を用いたネットワークシステムおけるシステムコンピュータは、ネットワークに連結された各自動トリップ装置の状態をモニターリングするように表示するモニターと；各部を制御し、有無線通信装置でネットワークに連結された各自動トリップ装置からデータの入力を受け取ってデータ格納装置に格納し、処理した処理結果をモニターに表示するメーンプロセッサーと；前記ネットワークを通じて入力される各自動トリップ装置の状態に関連したデータを格納するデータ格納装置と；前記メーンプロセッサーと各装置との間にデータ及び信号を伝送するための通路を提供するシステムバスと；各コンセント、末端機器及びサブ遮断器に設けられた自動トリップ装置と前記メーンプロセッサーとの間にデータ通信を提供する有無線通信装置と；各コンセント、末端機器及びサブ遮断器に設けられた自動トリップ装置から入力を受け取ったデータを表示する遠隔監視通信装置と；から構成されることを特徴とする。
【発明の効果】
【００１９】
本発明によれば、電力線の温度、使用電流を測定して非正常状態を判断し、警報発生及び電気を遮断して大容量の電流が流れる電力線の過負荷（接触不良、短絡など）による電力線の破損及び火災を予防でき、システムのネットワーク機能及びモニターリング機能を用いてそれぞれの設備区域の電力使用現況を一目で把握できる。
【発明を実施するための最良の形態】
【００２０】
以下、添付した図面を参照して本発明の好ましい実施形態について詳細に説明する。
【００２１】
図１は本発明に係る自動トリップ装置の構成を示すブロック図である。
【００２２】
本発明に係る自動トリップ装置１００は、電力線の温度を測定する温度センサー１１と、電力線の電流を測定する電流センサー１２と、温度センサー１１と電流センサー１２から入力される温度及び電流の測定データを格納するデータ格納部１３と、制御信号により電力線を遮断する遮断器トリップ部１４と、外部で電力線遮断を要請できる外部トリップ信号入力部１５と、遮断器４０の寿命を表示する遮断器寿命表示部１６と、警報信号を発生する警報信号発生部１７と、温度センサー１１と電流センサー１２から入力される温度及び電流の測定データの入力を受け取ってデータ格納部１３に格納するように制御し、測定した電流と設定電流を比較して設定電流より測定電流が大きければ、電力線を遮断するように遮断器トリップ部１４を制御し、測定したデータを分析して当該機器及び当該電力線区間の寿命を遮断器寿命表示部１６に表示するように制御し、格納した温度から温度抵抗係数を算出して事前に格納した警報温度抵抗係数と比較して算出した温度抵抗係数が警報温度抵抗係数より大きければ、警報信号が発生するように警報信号発生部１７を制御する制御部１８と、測定したデータ及び分析データを外部とデータ通信するデータ通信部１９と、から構成される。
【００２３】
図２は本発明に係る自動トリップ装置を負荷に連結した状態を示すブロック図である。
【００２４】
本発明に係る自動トリップ装置１００が内蔵された遮断器２００は、負荷４００に電気を供給する電力線３００に並列に連結される。
【００２５】
本発明に係る自動トリップ装置１００は、Ａ区間の電力線３００の温度を一定時間（例えば、１／１０００秒）ごとに温度センサー１１を用いて測定する。電力線３００は銅からなっているため、インピーダンスの抵抗成分により熱が発生する。
【００２６】
一般的な電力線ケーブルの温度は電線の形式ごとに差があるが、一般的に５℃〜６０℃であり、最大使用温度は８０℃前後である。また、２４時間使用時、電線機能の低下や変形をもたらす恐れがある警告状態であり、電線の短絡温度は１５０℃で、この温度の前後では火災が発生する恐れがある危険状態を示す。
【００２７】
図３は温度変化による銅の抵抗の変化を示すグラフである。
【００２８】
金属の抵抗は温度が上昇すると大きくなる。それは金属原子の熱振動が激しくなって自由電子の運動を妨害するためである。温度が１度上昇することによる抵抗の増加比率を抵抗の温度係数という。
【００２９】
したがって、温度抵抗係数は次のように、温度の変化による抵抗の変化により求める。
【００３０】
［数１］
ａｔ＝ｒ／Ｒｔ＝ａ０Ｒ０／Ｒ０（１＋ａ０ｔ）＝ａ０／（１+ａ０ｔ）
ここで、ａ０は０℃である時の温度抵抗係数、ａｔはｔ℃である時の温度抵抗係数、Ｒ０は０℃である時の導体抵抗、Ｒｔはｔ℃である時の導体抵抗、ｔは導体の温度、rは１℃に対する抵抗変化値である。
【００３１】
また、標準連動の場合は次のようになる。
【００３２】
［数２］
ａ０＝１／２３４．５、ａｔ＝１／（２３４．５+ｔ）
正常な負荷の消費電力が１１００Ｗであり、２２０Ｖ５Ａを使用すると仮定する場合、Ａ区間の抵抗が１０Ωが発生したならば、Ａ区間では２５０Ｗ（Ｗ＝I２Ｒ）のジュール熱が発生してＡ区間の温度が上昇して抵抗が増加し、またジュール熱が増加することが繰り返されてＡ区間で危険な事故が発生する可能性がある。Ａ区間で温度が上昇しても遮断器から供給される電流は正常範囲で供給されるためである。したがって、このような現象を防止するように温度と電流、電流の供給時間などを測定して遮断電流（遮断器の最大許容電流）を可変することによって、危険な事故を未然に防止することが好ましい。
【００３３】
図４は本発明に係る電力線の温度と電流を測定して温度上昇によって電流の供給を遮断する遮断器の制御方法を示すフローチャートである。
【００３４】
温度抵抗係数が警報温度抵抗係数（例えば、６２℃の温度抵抗係数＝１／（２３４．５＋６２）＝０．００３３７）より大きければ、警報を発するように警報温度抵抗係数を設定し、警報温度抵抗係数において、電力線３００で測定した電流を設定電流として設定する初期化過程を行う段階（Ｓ４１）。
【００３５】
次に、電力線３００に設けられた温度センサー１１から温度を測定し（段階Ｓ４２）温度抵抗係数を算出し、算出した温度抵抗係数をメモリ部に格納する（段階Ｓ４３）。算出した温度抵抗係数が警報温度抵抗係数より大きいかを判断し（段階Ｓ４４）、大きい場合警報信号発生部１７を動作させて警報信号を発生する（段階Ｓ４５）。
【００３６】
既に算出した温度抵抗係数が警報温度抵抗係数より小さい場合、警報温度抵抗係数により電力線３００に流れる設定電流を算出してメモリ部に格納し（段階Ｓ４６）、電力線３００に設けられた電流センサー１２で現在電流を測定してメモリ部に格納する（段階Ｓ４７）。
【００３７】
また、既設定電流を初期電流で割ってその値が初期劣化値（Ｆ；例えば、０．６）より大きいかを判断し（段階Ｓ４８）、大きい場合遮断器の切り替え信号を出力し（段階Ｓ４９）、大きくない場合設定電流が測定電流より小さいかを判断し（段階Ｓ５０）、小さい場合トリップ信号を出力する（段階Ｓ５１）。
【００３８】
一方、外部トリップ電流が測定電流より小さくない場合、（段階Ｓ５２に進行して外部トリップ信号が入力されたかを判断し（段階Ｓ５２）、外部トリップ信号が入力された場合、当該プログラムを終了し、外部トリップ信号が入力されない場合、データ通信部１９を制御してデータを受信すると共に、温度係数、設定電流、現在測定電流、遮断器の切り替え信号及びトリップ信号に対するデータをシステムコンピュータに送信し、段階Ｓ４２に戻ってその以下の過程を繰り返す（段階Ｓ５３）。
【００３９】
発明に係る自動トリップ装置はメーン遮断器、サブ遮断器、中間コンセント、照明機器などの各種端末機器に設けられる。このように設けられた自動トリップ装置は相互間のデータ通信が可能なネットワークシステムに築造できる。
【００４０】
図５は本発明に係る自動トリップネットワークシステムの系統図である。
【００４１】
システムコンピュータ５１は最上層に位置してそれぞれの下位層自動トリップ装置５２、５３、５４で収集するデータを使用者が把握できるように処理及び分析して表示すると共に、使用者の命令を下位層に伝達する。
【００４２】
中間層自動トリップ装置５２、５３はメーン遮断器またはサブ遮断器に内蔵され、下位層自動トリップ装置５４で収集したデータを分析、比較して、システムコンピュータ５１またはメーン遮断器に内蔵された上位中間層自動トリップ装置５２に伝達する。この中間層は必要によって多数の層に拡張が可能である。
【００４３】
最下位層自動トリップ装置５４は各種機器またはコンセントなどに内蔵され、電力線に直接連結されて電流、周波数及び温度などのデータを収集する。また、警告非常状態（測定した温度に基づいて算出した温度抵抗係数と事前に設定した警報温度抵抗係数を比較して算出温度抵抗係数が警報温度抵抗係数より大きい場合など）を検知して電源を遮断し、収集したデータを上位中間層自動トリップ装置５２、５３に伝達する。
【００４４】
図６は本発明に係るシステムコンピュータの構成を示すブロック図である。
【００４５】
図６に示すように、本発明の自動トリップ装置を用いたネットワークシステムおけるシステムコンピュータ５１は、ネットワークに連結された各自動トリップ装置の状態をモニターリングするように表示するモニター６１と、各部を制御し、有無線通信装置６５でネットワークに連結された各自動トリップ装置からデータの入力を受け取ってデータ格納装置６３に格納し、処理した処理結果をモニター６１に表示するメーンプロセッサー６２と、ネットワークを通じて入力される各自動トリップ装置の状態に関連したデータを格納するデータ格納装置６３と、メーンプロセッサー６２と各装置との間にデータ及び信号を伝送するための通路を提供するシステムバス６４と、各コンセント、末端機器及びサブ遮断器に設けられた自動トリップ装置とメーンプロセッサー６２との間にデータ通信を提供する有無線通信装置６５と、各コンセント、末端機器及びサブ遮断器に設けられた自動トリップ装置から入力を受け取ったデータを表示する遠隔監視通信装置６６と、から構成される。
【００４６】
図７は本発明に係る多数の自動トリップ装置をネットワークシステムに築造した実施形態を示す模式図である。
【００４７】
図７に示すように、システムコンピュータ７１は最上層に位置してそれぞれの下位層自動トリップ装置で収集するデータを処理及び分析して上位層自動トリップ装置５２が内蔵されたメーン遮断器７２を制御すると共に、使用者が把握できるようにモニターに表示して使用者の命令を下位層に伝達する。
【００４８】
このシステムコンピュータ７１は、中間層自動トリップ装置５３が内蔵されたサブ遮断器７３-１、７３-２と、下位層自動トリップ装置５４が内蔵されたコンセント７４-１、７４-２、７４-３、７４-４、照明機器７５-１、過熱危険の高い機器７５-２、プラグを使用しないで連結する機器７５-３などで収集したデータを分析、比較してシステムコンピュータ７１及び中間層自動トリップ装置５３が内蔵されたサブ遮断器７３に伝達すると共に、システムコンピュータ７１の命令により電源を遮断する。
【００４９】
一般家庭、工場及び事務室などに設けるコンセント７４-１、７４-２、７４-３、７４-４、照明機器７５-１、過熱危険の高い機器７５-２、プラグを使用しないで連結する機器７５-３などには最下位層自動トリップ装置５４が内蔵されて電流、周波数及び温度などのデータを収集する。また、警告非常状態を検知して電源を遮断し、収集したデータを上位中間層自動トリップ装置５３が内蔵されたサブ遮断器７３-１、７３-２に伝達する。
【００５０】
図８Ａ及び８Ｂは本発明によりネットワークシステムを構成するシステムコンピュータと中間層及び最下位層自動トリップ装置との間で通信する方法を示すフローチャートである。
【００５１】
システムコンピュータ７１はメーン遮断器７２に遮断器接続認証を要請する（段階ＳＴ１）。メーン遮断器７２はシステムコンピュータ７１に接続承認信号を送出し（段階ＳＴ２）、通信接続完了信号を送出する（段階ＳＴ３）。
【００５２】
通信接続の完了後に、システムコンピュータ７１は遮断器制御メッセージをメーン遮断器７２に送信し（段階ＳＴ４）、メーン遮断器７２から遮断器状態メッセージを受信する（段階ＳＴ５）。
【００５３】
システムコンピュータ７１はメーン遮断器７２から遮断器状態メッセージを受信した後、接続終了信号をメーン遮断器７２に送信すると共に（段階ＳＴ６）、有無線通信装置６５による有無線通信モードに転換する（段階ＳＴ７）。
【００５４】
このように、システムコンピュータ７１と中間層自動トリップ装置が内蔵されたメーン遮断器７２との間に通信が行われ、メーン遮断器７２と最下位層自動トリップ装置が内蔵されたコンセント７４-１、７４-２、７４-３、７４-４、照明機器７５-１、過熱危険の高い機器７５-２、プラグを使用しないで連結する機器７５-３などとの間には、図８ｂに示したような通信フローにより通信が行われる。
【００５５】
使用者端末機はコンセント７４と照明機器７５に内蔵された最下位層自動トリップ装置とメーン遮断器７２に連結されたブルートゥース及びＲＳ-２３２Ｃからなった有無線通信装置６５による通信可能の可否を判断する（段階ＳＴ１１）。システムコンピュータ７１は有無線通信装置６５による通信接続承認信号を使用者端末機に送出し（段階ＳＴ１２）、通信接続完了信号を送出する（段階ＳＴ１３）。
【００５６】
通信接続の完了後に、最下位層自動トリップ装置７４、７５を受け入れた使用者端末機は、遮断器制御メッセージをメーン遮断器７２に送信し（段階ＳＴ１４）、システムコンピュータ７１から遮断器状態メッセージを受信する（段階ＳＴ１５）。
【００５７】
最下位層自動トリップ装置７４、７５を受け入れた使用者端末機はメーン遮断器７２から遮断器状態メッセージを受信した後、接続終了信号をシステムコンピュータ７１のメーン遮断器７２に送信し（段階ＳＴ１６）、有無線通信装置６５による通信が行われる有無線通信モードに転換する（段階ＳＴ１７）。
【産業上の利用可能性】
【００５８】
本発明によれば、電力線の温度、使用電流を測定して非正常状態を判断し、警報発生及び電気を遮断して大容量の電流が流れる電力線の過負荷（接触不良、短絡など）による電力線の破損及び火災を予防でき、システムのネットワーク機能及びモニターリング機能を用いてそれぞれの設備区域の電力使用現況を一目で把握できる。従って、本発明の産業利用性はきわめて高いものといえる。
【図面の簡単な説明】
【００５９】
【図１】本発明に係る自動トリップ装置の構成を示すブロック図である。
【図２】本発明の実施形態に係る自動トリップ装置が負荷に連結された状態を示すブロック図である。
【図３】温度変化による銅の抵抗の変化を示すグラフである。
【図４】本発明に係る電力線の温度と電流を測定して温度上昇によって電流の供給を遮断する遮断器制御方法を示すフローチャートである。
【図５】本発明に係る自動トリップのためのネットワークシステムの系統図である。
【図６】本発明に係る自動トリップシステムの構成を示すブロック図である。
【図７】本発明の実施形態に係る多数の自動トリップシステムをネットワークに連結した状態を示す模式図である。
【図８Ａ】本発明に係る自動トリップネットワークシステムをネットワークに連結されるシステムコンピュータまたは使用者ターミナルと中間層及び最下位層との間で通信する方法を示すフローチャートである。
【図８Ｂ】本発明に係る自動トリップネットワークシステムをネットワークに連結されるシステムコンピュータまたは使用者ターミナルと中間層及び最下位層との間で通信する方法を示すフローチャートである。
【符号の説明】
【００６０】
１１    温度センサー
１２    電流センサー
１３    データ格納部
１４    遮断器トリップ部
１５    外部トリップ信号入力部
１６    遮断器寿命表示部
１７    警報信号部
１８    制御部
１９    データ通信部
５１    システムコンピュータ
５２、５３    中間層自動トリップ装置
５４    最下位層自動トリップ装置
６１    モニター
６２    メーンプロセッサー
６３    データ格納装置
６４    システムバス
６５    有無線通信装置
６６    遠隔監視通信装置
７１    システムコンピュータ
７２、７３    遮断器
７３−１、７３−２    サブ遮断器
７４−１、７４−２、７４−３、７４−４    コンセント
７４、７５    使用者端末
７５−１    照明機器
７５−２    過熱危険の高い機器
７５−３    プラグを使用しないで連絡する機器
１００    自動トリップ装置
４００    負荷
【図１】
2007318979.tif 000003
【図２】
2007318979.tif 000004
【図３】
2007318979.tif 000005
【図４】
2007318979.tif 000006
【図５】
2007318979.tif 000007
【図６】
2007318979.tif 000008
【図７】
2007318979.tif 000009
【図８Ａ】
2007318979.tif 000010
【図８Ｂ】
2007318979.tif 000011